【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ゴルフクラブヘッド（１００）であって、
クラウン（１２０）、ソール（１３０）、及び当該クラウンと当該ソールの間に配置されていてそれらを接続しているスカート（１４０）、を含むクラブ本体と、
前記クラブ本体に連結された調節可能のヘッドシャフト接続組立体であって、前記ゴルフクラブヘッドが前記ヘッドシャフト接続組立体を介してゴルフクラブシャフトに取付けられたときに形成されるゴルフクラブのロフト角及びライ角の少なくとも一方を調節するよう操作可能の前記ヘッドシャフト接続組立体と、
前記クラブ本体に調節可能に取付け可能の少なくとも一つの外部質量要素（１０１０）と、
前記クラブ本体の前端へ接続されているフェース部分（１１０）であって、当該フェース部分は、当該ゴルフクラブヘッドが理想的に位置付けられているときの座標系の原点（２０５）を画定する幾何学的中心を含んでおり、前記座標系は、
前記原点（２０５）で前記フェース部分に正接し且つ地平面に平行であるｘ軸と、
前記地平面に平行して且つ前記ｘ軸に直交して前記原点（２０５）に交わるｙ軸と、
前記ｘ軸と前記ｙ軸の両方に直交して前記原点（２０５）に交わるｚ軸と、を含んでいる、前記フェース部分（１１０）と、を備えており、
当該ゴルフクラブヘッドは、前記ｙ軸に沿って測定した前記原点（２０５）からの距離ＣＧＹにあり且つ前記ｚ軸に沿って測定した前記原点（２０５）からの距離ＣＧＺにある重心ＣＧを画定している、ゴルフクラブヘッドにおいて、
前記ゴルフクラブヘッドは、最小でも１．１２のクラウン高さ対フェース高さ比を有しており、
前記ゴルフクラブヘッドは、前記ｘ軸に平行であり且つ当該ゴルフクラブヘッドの前記重心を通るＣＧｘ軸周りの慣性モーメント（Ｉｘｘ）を有しており、ここに、ＣＧＺ／ＣＧＹの比は、不等式、
【数１】
2015100704.tif 000001
を満たしており、
前記フェース部分（１１０）が前記クラブ本体の前端の近傍で前記クラウン（１２０）に接続するフェース−クラウン移行部と、前記スカートが前記クラウンに接続するスカート−クラウン移行部とが設けられ、
前記原点（２０５）を通るｙ−ｚ平面内において、前記クラウンの高さは前記フェース−クラウン移行部から出発して局部的最高値まで連続的に増大し、
前記原点（２０５）から距離ＣＧＹ離れた位置で前記原点（２０５）を通るｙ−ｚ平面内において、前記クラウンの高さは前記フェース部分（１１０）の高さより大きく、
前記原点（２０５）を通るｙ−ｚ平面内において、トレイリングエッジ（１８０）の近傍の前記スカート−クラウン移行部は前記原点（２０５）より下方であり、
前記ゴルフクラブヘッドのＣＧ実効性積（ＣＧｅｆｆ）が、
【数２】
2015100704.tif 000002
として定義されており、ここに、ＣＧｅｆｆは少なくとも８０６ｍｍ２である、
ゴルフクラブヘッド。
【請求項２】
請求項１に記載のゴルフクラブヘッドにおいて、前記距離ＣＧＺは−７．０ｍｍ以下である、ゴルフクラブヘッド。
【請求項３】
請求項１に記載のゴルフクラブヘッドにおいて、前記クラウン部分は全ての場所で凸状をしている、ゴルフクラブヘッド。
【請求項４】
請求項１に記載のゴルフクラブヘッドにおいて、前記ゴルフクラブヘッドの前記本体部分へ接続されている少なくとも１つの質量要素を更に備えている、ゴルフクラブヘッド。
【請求項５】
請求項１に記載のゴルフクラブヘッドにおいて、前記ＣＧは、理想アドレス位置で前記ゴルフクラブヘッドの前記ソールと接触にある平面と定義される地平面から距離ΔＺに位置しており、ここに、ΔＺは最大でも２４．６ｍｍである、ゴルフクラブヘッド。
【請求項６】
請求項５に記載のゴルフクラブヘッドにおいて、前記ＣＧ実効性積（ＣＧｅｆｆ）が、１０３１ｍｍ２未満である、ゴルフクラブヘッド。
【請求項７】
ゴルフクラブヘッドであって、
クラウン、ソール、及び当該クラウンと当該ソールの間に配置されていてそれらを接続しているスカート、を含むクラブ本体と、
前記クラブ本体の前端へ接続されているフェース部分であって、当該フェース部分は、当該ゴルフクラブヘッドが理想的に位置付けられているときの座標系の原点を画定する幾何学的中心を含んでおり、前記座標系は、    前記原点で前記フェース部分に正接し且つ地平面に平行であるｘ軸と、
前記地平面に平行して且つ前記ｘ軸に直交して前記原点に交わるｙ軸と、
前記ｘ軸と前記ｙ軸の両方に直交して前記原点に交わるｚ軸と、を含んでいる、フェース部分と、
前記フェース部分に沿って配置されているリーディングエッジと、
前記クラブ本体に沿って配置されているトレイリングエッジであって、前記リーディングエッジとは当該ゴルフクラブヘッドの互いに反対の端に配置されているトレイリングエッジと、を備えており、
当該ゴルフクラブヘッドは、重心（ＣＧ）を画定しており、
当該ゴルフクラブヘッドは、前方質量枠及び後方質量枠によって特徴付けられており、
前記前方質量枠は、前記ｙ軸に平行な約３５ｍｍの第１寸法及び前記ｚ軸に平行な約２０ｍｍの第２寸法を有し、当該第１寸法及び当該第２寸法はそれにより当該前方質量枠の幾何学的中心を画定しており、
前記後方質量枠は、前記ｙ軸に平行な約３５ｍｍの第１寸法及び前記ｚ軸に平行な約３０ｍｍの第２寸法を有し、当該第１寸法及び当該第２寸法はそれにより当該後方質量枠の幾何学的中心を画定しており、
前記前方質量枠の最前方端は前記リーディングエッジに正接し、前記後方質量枠の最後方端は前記トレイリングエッジに正接しており、
当該ゴルフクラブヘッドは、前記ｙ軸と前記ｚ軸によって画定されるｙ−ｚ平面における前記前方質量枠の前記幾何学的中心と前記ＣＧの間のベクトルである第１辺と、前記ｙ−ｚ平面における前記後方質量枠の前記幾何学的中心と前記ＣＧの間のベクトルである第２辺と、前記ｙ−ｚ平面における前記前方質量枠の前記幾何学的中心と前記後方質量枠の前記幾何学的中心の間のベクトルである第３辺と、を含むベクトル三角形を画定している、ゴルフクラブヘッドにおいて、
前記後方質量枠が１３．２グラムより大きい質量を画定している、ゴルフクラブヘッド。
【請求項８】
請求項７に記載のゴルフクラブヘッドにおいて、ＭＯＩ（慣性モーメント）実効性総和（ＭＯＩｅｆｆ）が、方程式、
【数３】
2015100704.tif 000003
によって定義されており、
ここに、ｍＦは、前記前方質量枠内に画定されている質量であり、
ここに、ＬＦは、前記ベクトル三角形の前記第１辺の長さであり、
ここに、ｍＲは、前記後方質量枠内に画定されている質量であり、
ここに、ＬＲは、前記ベクトル三角形の前記第２辺の長さであり、
ここに、ＭＯＩｅｆｆは、８１．５ｋｇ・ｍｍ２より大きい、ゴルフクラブヘッド。
【請求項９】
請求項８に記載のゴルフクラブヘッドにおいて、ＭＯＩｅｆｆは、最小でも１２８．２ｋｇ・ｍｍ２である、ゴルフクラブヘッド。
【請求項１０】
請求項８に記載のゴルフクラブヘッドにおいて、ＭＯＩｅｆｆは、最小でも２４０．８ｋｇ・ｍｍ２である、ゴルフクラブヘッド。
【請求項１１】
請求項８に記載のゴルフクラブヘッドにおいて、ＭＯＩ実効性総和比（ＲＭＯＩ）が、ＭＯＩｅｆｆの、前記ゴルフクラブヘッドの前記ｘ軸に平行であり且つ当該ゴルフクラブヘッドの前記重心を通るＣＧｘ軸周りの慣性モーメント（Ｉｘｘ）に対する比として定義されており、ここに、ＲＭＯＩは０．３２７より大きい、ゴルフクラブヘッド。
【請求項１２】
請求項１１に記載のゴルフクラブヘッドにおいて、ＲＭＯＩは、最小でも０．４５３である、ゴルフクラブヘッド。
【請求項１３】
請求項７に記載のゴルフクラブヘッドにおいて、前記ゴルフクラブヘッドは、前記ｘ軸に平行であり且つ当該ゴルフクラブヘッドの前記ＣＧを通るＣＧｘ軸周りの慣性モーメント（Ｉｘｘ）を有しており、ここに、ＣＧＺ／ＣＧＹの比は、不等式、
【数４】
2015100704.tif 000004
を満たしている、ゴルフクラブヘッド。
【請求項１４】
ゴルフクラブヘッドであって、
クラウン、ソール、及び当該クラウンと当該ソールの間に配置されていてそれらを接続しているスカート、を含むクラブ本体と、
前記クラブ本体の前端へ接続されているフェース部分であって、当該フェース部分は、当該ゴルフクラブヘッドが理想的に位置付けられているときの座標系の原点を画定する幾何学的中心を含んでおり、前記座標系は、
前記原点で前記フェース部分に正接し且つ地平面に平行であるｘ軸と、
前記地平面に平行して且つ前記ｘ軸に直交して前記原点に交わるｙ軸と、
前記ｘ軸と前記ｙ軸の両方に直交して前記原点に交わるｚ軸と、を含んでいる、フェース部分と、
前記フェース部分に沿って配置されているリーディングエッジと、
前記クラブ本体に沿って配置されているトレイリングエッジであって、前記リーディングエッジとは当該ゴルフクラブヘッドの互いに反対の端に配置されているトレイリングエッジと、を備えており、
当該ゴルフクラブヘッドは、重心（ＣＧ）を画定しており、
当該ゴルフクラブヘッドは、前方質量枠及び後方質量枠によって特徴付けられており、
前記前方質量枠は、前記ｙ軸に平行な約３５ｍｍの第１寸法及び前記ｚ軸に平行な約２０ｍｍの第２寸法を有し、当該第１寸法及び当該第２寸法はそれにより当該前方質量枠の幾何学的中心を画定しており、
前記後方質量枠は、前記ｙ軸に平行な約３５ｍｍの第１寸法及び前記ｚ軸に平行な約３０ｍｍの第２寸法を有し、当該第１寸法及び当該第２寸法はそれにより当該後方質量枠の幾何学的中心を画定しており、
前記前方質量枠の最前方端は前記リーディングエッジに正接し、前記後方質量枠の最後方端は前記トレイリングエッジに正接しており、
当該ゴルフクラブヘッドは、前記ｙ軸と前記ｚ軸によって画定されるｙ−ｚ平面における前記前方質量枠の前記幾何学的中心と前記ＣＧの間のベクトルである第１辺と、前記ｙ−ｚ平面における前記後方質量枠の前記幾何学的中心と前記ＣＧの間のベクトルである第２辺と、前記ｙ−ｚ平面における前記前方質量枠の前記幾何学的中心と前記後方質量枠の前記幾何学的中心の間のベクトルである第３辺と、を含むベクトル三角形を画定している、ゴルフクラブヘッドにおいて、
ベクトル比が、前記第１辺と前記第２辺の長さの和の前記第３辺の長さに対する比として定義されており、
ここに、前記ベクトル比は１．１２８１未満である、ゴルフクラブヘッド。
【請求項１５】
請求項１４に記載のゴルフクラブヘッドにおいて、前記ベクトル三角形は、約５９１ｍｍ２以下の面積を有している、ゴルフクラブヘッド。
【請求項１６】
請求項１５に記載のゴルフクラブヘッドにおいて、前記ベクトル三角形は、４５６ｍｍ２以下の面積を有している、ゴルフクラブヘッド。
【請求項１７】
請求項１４に記載のゴルフクラブヘッドにおいて、前記ベクトル比は、最大でも１．０５７７である、ゴルフクラブヘッド。
【請求項１８】
請求項１４に記載のゴルフクラブヘッドにおいて、ＭＯＩ（慣性モーメント）実効性総和（ＭＯＩｅｆｆ）が、方程式、
【数５】
2015100704.tif 000005
によって定義されており、
ここに、ｍＦは、前記前方質量枠内に画定されている質量であり、
ここに、ＬＦは、前記ベクトル三角形の前記第１辺の長さであり、
ここに、ｍＲは、前記後方質量枠内に画定されている質量であり、
ここに、ＬＲは、前記ベクトル三角形の前記第２辺の長さであり、
ここに、ＭＯＩｅｆｆは、８１．５ｋｇ・ｍｍ２より大きい、ゴルフクラブヘッド。
【請求項１９】
請求項１８に記載のゴルフクラブヘッドにおいて、ＭＯＩ実効性総和比（ＲＭＯＩ）が、ＭＯＩｅｆｆの、前記ゴルフクラブヘッドの前記ｘ軸に平行であり且つ当該ゴルフクラブヘッドの前記重心（ＣＧ）を通るＣＧｘ軸周りの慣性モーメント（Ｉｘｘ）に対する比として定義されており、ここに、ＲＭＯＩは０．３２７より大きい、ゴルフクラブヘッド。
【請求項２０】
請求項１８に記載のゴルフクラブヘッドにおいて、前記ゴルフクラブヘッドの前記ＣＧは、前記ｙ軸に沿って測定した前記中心フェースからの距離ＣＧＹに位置し且つ前記ｚ軸に沿って測定した前記中心フェースからの距離ＣＧｚに位置しており、前記ゴルフクラブヘッドは、前記ｘ軸に平行であり且つ当該ゴルフクラブヘッドの前記重心（ＣＧ）を通るＣＧｘ軸周りの慣性モーメント（Ｉｘｘ）を有しており、ここに、ＣＧＺ／ＣＧＹの比は、不等式、
【数６】
2015100704.tif 000006
を満たしている、ゴルフクラブヘッド。
【請求項２１】
請求項２０に記載のゴルフクラブヘッドにおいて、前記クラウン部分は全ての場所で凸状をしている、ゴルフクラブヘッド。
【手続補正２】
【補正対象書類名】明細書
【補正対象項目名】０１１３
【補正方法】変更
【補正の内容】
【０１１３】
以上に記載されている実施形態は実施形の考えられ得る例にすぎず、単に本開示の原理の明快な理解のために示されていることを強調しておきたい。流れ線図中の何れかのプロセス記述又はブロックは、プロセス中の特定の論理機能又は工程を実施するための１つ又はそれ以上の実行可能な命令を含んでいるコードのモジュール、セグメント、又は部分を表しているものと理解されるべきであり、本開示の技術分野の当業者であれば理解される様に、機能が、一切含まれていない又は実行されない代わりの実施形態、機能が、関与する機能性に依存して、実質的に同時又は逆順を含め、示されている又は論じられている順序から脱して実行される代わりの実施形も含まれる。以上に記載の（単数又は複数の）実施形態には、本開示の精神及び原理から実質的に逸脱することなく、多くの変型及び修正がなされる余地がある。また、本開示の範囲は、以上に論じられている全ての要素、機構、又は態様のありとあらゆる組合せ及び部分的組合せを網羅するものとする。全てのその様な修正及び変型は、ここに、本開示の範囲内として含まれるものとし、要素又は工程の個別の態様又は組合せに対する全ての考えられ得る請求は本開示によって支持されるものとする。以下は、本発明の出願時の各種形態である。
（形態１）  ゴルフクラブヘッドであって、
クラウン、ソール、及び当該クラウンと当該ソールの間に配置されていてそれらを接続しているスカート、を含むクラブ本体と、
前記クラブ本体の前端へ接続されているフェース部分であって、当該フェース部分は、当該ゴルフクラブヘッドが理想的に位置付けられているときの座標系の原点を画定する幾何学的中心を含んでおり、前記座標系は、
前記原点で前記フェース部分に正接し且つ地平面に平行であるｘ軸と、
前記地平面に平行して且つ前記ｘ軸に直交して前記原点に交わるｙ軸と、
前記ｘ軸と前記ｙ軸の両方に直交して前記原点に交わるｚ軸と、を含んでいる、フェース部分と、を備えており、
当該ゴルフクラブヘッドは、前記ｙ軸に沿って測定した前記原点からの距離ＣＧＹにあり且つ前記ｚ軸に沿って測定した前記原点からの距離ＣＧＺにある重心ＣＧを画定している、ゴルフクラブヘッドにおいて、
前記ゴルフクラブヘッドは、最小でも１．１２のクラウン高さ対フェース高さ比を有しており、
前記ゴルフクラブヘッドは、前記ｘ軸に平行であり且つ当該ゴルフクラブヘッドの前記重心を通るＣＧｘ軸周りの慣性モーメント（Ｉｘｘ）を有しており、ここに、ＣＧＺ／ＣＧＹの比は、不等式、
【数１】
2015100704.tif 000007
を満たしている、ゴルフクラブヘッド。
（形態２）  前記距離ＣＧＺは−７．０ｍｍ以下である、形態１に記載のゴルフクラブヘッド。
（形態３）  前記クラウン部分は全ての場所で凸状をしている、形態１に記載のゴルフクラブヘッド。
（形態４）  前記ゴルフクラブヘッドの前記本体部分へ接続されている少なくとも１つの質量要素を更に備えている、形態１に記載のゴルフクラブヘッド。
（形態５）  前記ＣＧは、理想アドレス位置で前記ゴルフクラブヘッドの前記ソールと接触にある平面と定義される地平面から距離ΔＺに位置しており、ここに、ΔＺは最大でも２４．６ｍｍである、形態１に記載のゴルフクラブヘッド。
（形態６）  ＣＧ実効性積（ＣＧｅｆｆ）が、
【数２】
2015100704.tif 000008
として定義されており、ここに、ＣＧｅｆｆは１０３１ｍｍ２未満である、形態５に記載のゴルフクラブヘッド。
（形態７）  ゴルフクラブヘッドであって、
クラウン、ソール、及び当該クラウンと当該ソールの間に配置されていてそれらを接続しているスカート、を含むクラブ本体と、
前記クラブ本体の前端へ接続されているフェース部分であって、当該フェース部分は、当該ゴルフクラブヘッドが理想的に位置付けられているときの座標系の原点を画定する幾何学的中心を含んでおり、前記座標系は、    前記原点で前記フェース部分に正接し且つ地平面に平行であるｘ軸と、
前記地平面に平行して且つ前記ｘ軸に直交して前記原点に交わるｙ軸と、
前記ｘ軸と前記ｙ軸の両方に直交して前記原点に交わるｚ軸と、を含んでいる、フェース部分と、
前記フェース部分に沿って配置されているリーディングエッジと、
前記クラブ本体に沿って配置されているトレイリングエッジであって、前記リーディングエッジとは当該ゴルフクラブヘッドの互いに反対の端に配置されているトレイリングエッジと、を備えており、
当該ゴルフクラブヘッドは、重心（ＣＧ）を画定しており、
当該ゴルフクラブヘッドは、前方質量枠及び後方質量枠によって特徴付けられており、
前記前方質量枠は、前記ｙ軸に平行な約３５ｍｍの第１寸法及び前記ｚ軸に平行な約２０ｍｍの第２寸法を有し、当該第１寸法及び当該第２寸法はそれにより当該前方質量枠の幾何学的中心を画定しており、
前記後方質量枠は、前記ｙ軸に平行な約３５ｍｍの第１寸法及び前記ｚ軸に平行な約３０ｍｍの第２寸法を有し、当該第１寸法及び当該第２寸法はそれにより当該後方質量枠の幾何学的中心を画定しており、
前記前方質量枠の最前方端は前記リーディングエッジに正接し、前記後方質量枠の最後方端は前記トレイリングエッジに正接しており、
当該ゴルフクラブヘッドは、前記ｙ軸と前記ｚ軸によって画定されるｙ−ｚ平面における前記前方質量枠の前記幾何学的中心と前記ＣＧの間のベクトルである第１辺と、前記ｙ−ｚ平面における前記後方質量枠の前記幾何学的中心と前記ＣＧの間のベクトルである第２辺と、前記ｙ−ｚ平面における前記前方質量枠の前記幾何学的中心と前記後方質量枠の前記幾何学的中心の間のベクトルである第３辺と、を含むベクトル三角形を画定している、ゴルフクラブヘッドにおいて、
前記後方質量枠が１３．２グラムより大きい質量を画定している、ゴルフクラブヘッド。
（形態８）  ＭＯＩ（慣性モーメント）実効性総和（ＭＯＩｅｆｆ）が、方程式、
【数３】
2015100704.tif 000009
によって定義されており、
ここに、ｍＦは、前記前方質量枠内に画定されている質量であり、
ここに、ＬＦは、前記ベクトル三角形の前記第１辺の長さであり、
ここに、ｍＲは、前記後方質量枠内に画定されている質量であり、
ここに、ＬＲは、前記ベクトル三角形の前記第２辺の長さであり、
ここに、ＭＯＩｅｆｆは、８１．５ｋｇ・ｍｍ２より大きい、形態７に記載のゴルフクラブヘッド。
（形態９）  ＭＯＩｅｆｆは、最小でも１２８．２ｋｇ・ｍｍ２である、形態８に記載のゴルフクラブヘッド。
（形態１０）  ＭＯＩｅｆｆは、最小でも２４０．８ｋｇ・ｍｍ２である、形態８に記載のゴルフクラブヘッド。
（形態１１）  ＭＯＩ実効性総和比（ＲＭＯＩ）が、ＭＯＩｅｆｆの、前記ゴルフクラブヘッドの前記ｘ軸に平行であり且つ当該ゴルフクラブヘッドの前記重心を通るＣＧｘ軸周りの慣性モーメント（Ｉｘｘ）に対する比として定義されており、ここに、ＲＭＯＩは０．３２７より大きい、形態８に記載のゴルフクラブヘッド。
（形態１２）  ＲＭＯＩは、最小でも０．４５３である、形態１１に記載のゴルフクラブヘッド。
（形態１３）  前記ゴルフクラブヘッドは、前記ｘ軸に平行であり且つ当該ゴルフクラブヘッドの前記ＣＧを通るＣＧｘ軸周りの慣性モーメント（Ｉｘｘ）を有しており、ここに、ＣＧＺ／ＣＧＹの比は、不等式、
【数４】
2015100704.tif 000010
を満たしている、形態７に記載のゴルフクラブヘッド。
（形態１４）  ゴルフクラブヘッドであって、
クラウン、ソール、及び当該クラウンと当該ソールの間に配置されていてそれらを接続しているスカート、を含むクラブ本体と、
前記クラブ本体の前端へ接続されているフェース部分であって、当該フェース部分は、当該ゴルフクラブヘッドが理想的に位置付けられているときの座標系の原点を画定する幾何学的中心を含んでおり、前記座標系は、
前記原点で前記フェース部分に正接し且つ地平面に平行であるｘ軸と、
前記地平面に平行して且つ前記ｘ軸に直交して前記原点に交わるｙ軸と、
前記ｘ軸と前記ｙ軸の両方に直交して前記原点に交わるｚ軸と、を含んでいる、フェース部分と、
前記フェース部分に沿って配置されているリーディングエッジと、
前記クラブ本体に沿って配置されているトレイリングエッジであって、前記リーディングエッジとは当該ゴルフクラブヘッドの互いに反対の端に配置されているトレイリングエッジと、を備えており、
当該ゴルフクラブヘッドは、重心（ＣＧ）を画定しており、
当該ゴルフクラブヘッドは、前方質量枠及び後方質量枠によって特徴付けられており、
前記前方質量枠は、前記ｙ軸に平行な約３５ｍｍの第１寸法及び前記ｚ軸に平行な約２０ｍｍの第２寸法を有し、当該第１寸法及び当該第２寸法はそれにより当該前方質量枠の幾何学的中心を画定しており、
前記後方質量枠は、前記ｙ軸に平行な約３５ｍｍの第１寸法及び前記ｚ軸に平行な約３０ｍｍの第２寸法を有し、当該第１寸法及び当該第２寸法はそれにより当該後方質量枠の幾何学的中心を画定しており、
前記前方質量枠の最前方端は前記リーディングエッジに正接し、前記後方質量枠の最後方端は前記トレイリングエッジに正接しており、
当該ゴルフクラブヘッドは、前記ｙ軸と前記ｚ軸によって画定されるｙ−ｚ平面における前記前方質量枠の前記幾何学的中心と前記ＣＧの間のベクトルである第１辺と、前記ｙ−ｚ平面における前記後方質量枠の前記幾何学的中心と前記ＣＧの間のベクトルである第２辺と、前記ｙ−ｚ平面における前記前方質量枠の前記幾何学的中心と前記後方質量枠の前記幾何学的中心の間のベクトルである第３辺と、を含むベクトル三角形を画定している、ゴルフクラブヘッドにおいて、
ベクトル比が、前記第１辺と前記第２辺の長さの和の前記第３辺の長さに対する比として定義されており、
ここに、前記ベクトル比は１．１２８１未満である、ゴルフクラブヘッド。
（形態１５）  前記ベクトル三角形は、約５９１ｍｍ２以下の面積を有している、形態１４に記載のゴルフクラブヘッド。
（形態１６）  前記ベクトル三角形は、４５６ｍｍ２以下の面積を有している、形態１５に記載のゴルフクラブヘッド。
（形態１７）  前記ベクトル比は、最大でも１．０５７７である、形態１４に記載のゴルフクラブヘッド。
（形態１８）  ＭＯＩ（慣性モーメント）実効性総和（ＭＯＩｅｆｆ）が、方程式、
【数５】
2015100704.tif 000011
によって定義されており、
ここに、ｍＦは、前記前方質量枠内に画定されている質量であり、
ここに、ＬＦは、前記ベクトル三角形の前記第１辺の長さであり、
ここに、ｍＲは、前記後方質量枠内に画定されている質量であり、
ここに、ＬＲは、前記ベクトル三角形の前記第２辺の長さであり、
ここに、ＭＯＩｅｆｆは、８１．５ｋｇ・ｍｍ２より大きい、形態１４に記載のゴルフクラブヘッド。
（形態１９）  ＭＯＩ実効性総和比（ＲＭＯＩ）が、ＭＯＩｅｆｆの、前記ゴルフクラブヘッドの前記ｘ軸に平行であり且つ当該ゴルフクラブヘッドの前記重心（ＣＧ）を通るＣＧｘ軸周りの慣性モーメント（Ｉｘｘ）に対する比として定義されており、ここに、ＲＭＯＩは０．３２７より大きい、形態１８に記載のゴルフクラブヘッド。
（形態２０）  前記ゴルフクラブヘッドの前記ＣＧは、前記ｙ軸に沿って測定した前記中心フェースからの距離ＣＧＹに位置し且つ前記ｚ軸に沿って測定した前記中心フェースからの距離ＣＧｚに位置しており、前記ゴルフクラブヘッドは、前記ｘ軸に平行であり且つ当該ゴルフクラブヘッドの前記重心（ＣＧ）を通るＣＧｘ軸周りの慣性モーメント（Ｉｘｘ）を有しており、ここに、ＣＧＺ／ＣＧＹの比は、不等式、
【数６】
2015100704.tif 000012
を満たしている、形態１８に記載のゴルフクラブヘッド。
（形態２１）  前記クラウン部分は全ての場所で凸状をしている、形態２０に記載のゴルフクラブヘッド。